【手続補正書】
【提出日】平成21年10月9日(2009.10.9)
【手続補正１】
【補正対象書類名】明細書
【補正対象項目名】発明の名称
【補正方法】変更
【補正の内容】
【発明の名称】画像形成装置、画像形成方法
【手続補正２】
【補正対象書類名】明細書
【補正対象項目名】特許請求の範囲
【補正方法】変更
【補正の内容】
【特許請求の範囲】
【請求項１】
多値画像データに基づいて階調画像を形成する画像形成装置であって、
前記多値画像データの画素値を４ビットで表現するインデックス画像データを生成する手段と、
前記多値画像データに基づいて形成される画素の位置に応じた制御データを記憶する第１の記憶手段と、
画像形成のための走査に同期して前記第１の記憶手段から制御データを読み出す第１の読出し手段と、
４ビットのインデックス値０〜１５のそれぞれと、前記第１の記憶手段が記憶するそれぞれの制御データと、の組み合わせ毎に、バイナリビット列を記憶する第２の記憶手段と、
前記第１の読出し手段が読み出した制御データと、前記インデックス画像データの画素値との組み合わせに対応するバイナリビット列を前記第２の記憶手段から読み出す第２の読出し手段と、
前記第２の読出し手段が読み出したバイナリビット列に応じて発光されるレーザ光を走査して画像を形成する画像形成手段と
を備え、
前記第２の記憶手段は、
前記第１の記憶手段が記憶する制御データ００に対応するバイナリビット列として、前記画像形成手段で形成される各画素を前記走査の方向において各画素の左側から成長させるバイナリビット列、を記憶し、
前記第１の記憶手段が記憶する制御データ０１に対応するバイナリビット列として、前記画像形成手段で形成される各画素を前記走査の方向において各画素の右側から成長させるバイナリビット列、を記憶し、
前記第１の記憶手段が記憶する制御データ１０に対応するバイナリビット列として、前記画像形成手段で形成される各画素を前記走査の方向において各画素の中央から成長させるバイナリビット列、を記憶し、
前記第１の記憶手段が記憶する制御データ１１に対応するバイナリビット列として、前記画像形成手段で形成される各画素を前記走査の方向において当該画素の両側から成長させるバイナリビット列、を記憶し、
前記第２の記憶手段が記憶する何れのバイナリビット列も、該バイナリビット列に対応するインデックス値が大きいほど、画素をより成長させるバイナリビット列であり、
前記画像形成手段は、前記バイナリビット列中のビットが１の時にレーザ光を駆動し、０の時にレーザ光をオフにする
ことを特徴とする画像形成装置。
【請求項２】
多値画像データに基づいて階調画像を形成する画像形成装置が行う画像形成方法であって、
前記画像形成装置が有する生成手段が、前記多値画像データの画素値を４ビットで表現するインデックス画像データを生成する工程と、
前記画像形成装置が有する第１の記憶手段が、前記多値画像データに基づいて形成される画素の位置に応じた制御データを記憶する第１の記憶工程と、
前記画像形成装置が有する第１の読出し手段が、画像形成のための走査に同期して前記第１の記憶手段から制御データを読み出す第１の読出し工程と、
前記画像形成装置が有する第２の記憶手段が、４ビットのインデックス値０〜１５のそれぞれと、前記第１の記憶手段が記憶するそれぞれの制御データと、の組み合わせ毎に、バイナリビット列を記憶する第２の記憶工程と、
前記画像形成装置が有する第２の読出し手段が、前記第１の読出し工程で読み出した制御データと、前記インデックス画像データの画素値との組み合わせに対応するバイナリビット列を前記第２の記憶手段から読み出す第２の読出し工程と、
前記画像形成装置が有する画像形成手段が、前記第２の読出し工程で読み出したバイナリビット列に応じて発光されるレーザ光を走査して画像を形成する画像形成工程と
を備え、
前記第２の記憶手段は、
前記第１の記憶手段が記憶する制御データ００に対応するバイナリビット列として、前記画像形成手段で形成される各画素を前記走査の方向において各画素の左側から成長させるバイナリビット列、を記憶し、
前記第１の記憶手段が記憶する制御データ０１に対応するバイナリビット列として、前記画像形成手段で形成される各画素を前記走査の方向において各画素の右側から成長させるバイナリビット列、を記憶し、
前記第１の記憶手段が記憶する制御データ１０に対応するバイナリビット列として、前記画像形成手段で形成される各画素を前記走査の方向において各画素の中央から成長させるバイナリビット列、を記憶し、
前記第１の記憶手段が記憶する制御データ１１に対応するバイナリビット列として、前記画像形成手段で形成される各画素を前記走査の方向において当該画素の両側から成長させるバイナリビット列、を記憶し、
前記第２の記憶手段が記憶する何れのバイナリビット列も、該バイナリビット列に対応するインデックス値が大きいほど、画素をより成長させるバイナリビット列であり、
前記画像形成工程では、前記バイナリビット列中のビットが１の時にレーザ光を駆動し、０の時にレーザ光をオフにする
ことを特徴とする画像形成方法。
【手続補正３】
【補正対象書類名】明細書
【補正対象項目名】００１１
【補正方法】変更
【補正の内容】
【００１１】
【課題を解決するための手段】
上記目的を達成するために、例えば、本発明の画像形成装置は以下の構成を備える。
即ち、多値画像データに基づいて階調画像を形成する画像形成装置であって、
前記多値画像データの画素値を４ビットで表現するインデックス画像データを生成する手段と、
前記多値画像データに基づいて形成される画素の位置に応じた制御データを記憶する第１の記憶手段と、
画像形成のための走査に同期して前記第１の記憶手段から制御データを読み出す第１の読出し手段と、
４ビットのインデックス値０〜１５のそれぞれと、前記第１の記憶手段が記憶するそれぞれの制御データと、の組み合わせ毎に、バイナリビット列を記憶する第２の記憶手段と、
前記第１の読出し手段が読み出した制御データと、前記インデックス画像データの画素値との組み合わせに対応するバイナリビット列を前記第２の記憶手段から読み出す第２の読出し手段と、
前記第２の読出し手段が読み出したバイナリビット列に応じて発光されるレーザ光を走査して画像を形成する画像形成手段と
を備え、
前記第２の記憶手段は、
前記第１の記憶手段が記憶する制御データ００に対応するバイナリビット列として、前記画像形成手段で形成される各画素を前記走査の方向において各画素の左側から成長させるバイナリビット列、を記憶し、
前記第１の記憶手段が記憶する制御データ０１に対応するバイナリビット列として、前記画像形成手段で形成される各画素を前記走査の方向において各画素の右側から成長させるバイナリビット列、を記憶し、
前記第１の記憶手段が記憶する制御データ１０に対応するバイナリビット列として、前記画像形成手段で形成される各画素を前記走査の方向において各画素の中央から成長させるバイナリビット列、を記憶し、
前記第１の記憶手段が記憶する制御データ１１に対応するバイナリビット列として、前記画像形成手段で形成される各画素を前記走査の方向において当該画素の両側から成長させるバイナリビット列、を記憶し、
前記第２の記憶手段が記憶する何れのバイナリビット列も、該バイナリビット列に対応するインデックス値が大きいほど、画素をより成長させるバイナリビット列であり、
前記画像形成手段は、前記バイナリビット列中のビットが１の時にレーザ光を駆動し、０の時にレーザ光をオフにする
ことを特徴とする。